(57)【要約】【課題】箱詰めされた複数のワイングラス特にその台座が輸送中に接触して破損することのないようにした包装容器用中仕切りを提供する。【解決手段】別個に形成され十文字状に交差して組み合わされる折り畳み自在な一対の仕切り片１ａ，１ｂからなり、その中央交差部を中心として延びる各仕切り半片４ａ，４ｂ，１２ａ，１２ｂの下方に折曲げ線５ａ，５ｂ，１３ａ，１３ｂを介して底片部６ａ，６ｂ，１４ａ，１４ｂを連設し、隣り合う両底片部６ｂ，１４ａに互いに係脱自在に係合しかつ両仕切り片１ａ，１ｂと共に両底片部６ｂ，１４ａが自在に折り畳める係合部７ｂ，１５ａを設け、一対の仕切り片１ａ，１ｂを十文字状に開いたとき、対角線上に位置する両仕切り半片４ｂ，１２ａ間に係合した両底片部６ｂ，１４ａが自動的に張設されるようにした。【選択図】図２
2009078818.tif 000002
【特許請求の範囲】
【請求項１】
容器本体内を平面的に十文字状に仕切る包装容器用中仕切りであって、別個に形成されると共に十文字状に交差して組み合わされる折り畳み自在な一対の仕切り片からなり、その中央交差部を中心として放射状に延びる各仕切り半片の下方に折曲げ線を介して底片部を連設し、隣り合う前記両底片部に互いに係脱自在に係合しかつ前記両仕切り片と共に前記両底片部が自在に折り畳める係合部を設け、前記一対の仕切り片を十文字状に開いたとき、前記中央交差部を中心として対角線上に位置する前記両仕切り半片間に係合した前記両底片部が自動的に張設されるようにしたことを特徴とする包装容器用中仕切り。
【発明の詳細な説明】
【技術分野】
【０００１】
本発明は、特にワイングラスを安全に包装して破損させずに輸送できるようにした包装容器用中仕切りに関するものである。
【背景技術】
【０００２】
従来、包装容器用中仕切りは、包装容器内を複数個に仕切り、仕切られた各収納空間部にそれぞれ各種の品物を収納するために用いられる。例えば、ガラス製のワイングラスを包装容器内に収納する場合も、前記のように包装容器用中仕切りにより包装容器内を仕切って各収納空間部にワイングラスを収納するようにしている。ところで、前記包装容器用中仕切りとして、平面十文字状に組み合わされると共に、中央交差部を中心として放射状に延びる４枚の仕切り半片の下方に、包装容器の底面と平行をなす折曲げ線を介して底片部を連設して構成されるものがある（例えば、特許文献１参照。）。
【０００３】
前記包装容器用中仕切りは、各仕切り半片の下方に折曲げ線を介して底片部が連設され、該包装容器用中仕切りを包装容器内に配設する際、前記各底片部を各仕切り半片に対してほぼ９０になるように折り曲げ、そのまま各底片部が包装容器の内底面に接触するようにしている。詳しくは、各底片部は、各仕切り半片から中央交差部を中心としてその周方向に沿って同じ方向へ折り曲げられる。そして、前記包装容器用中仕切りを使ってワイングラスを包装容器に収納する場合、各ワイングラスをステム下端の台座が底片部の上面に載るようにして各収納空間部に収納する。このように、各ワイングラスが常にその台座を底片部の上面に載せた状態で各収納空間部に収納されれば、輸送中に包装容器内のワイングラスが各収納空間部内で移動し、それら下端の台座が隣の収納空間部に一部食み出ても、該台座が隣のワイングラスの台座に直接接触するようなことがないので、台座が破損するといった危険性はほとんどない。
【０００４】
【特許文献１】特開２００５−２６３３０４号公報（第３−４頁、図１）
【発明の開示】
【発明が解決しようとする課題】
【０００５】
通常、出荷する工場内では各包装容器にワイングラスを収納するに、前記のように包装容器用中仕切りを組み合わせ、底片部を折り曲げた状態で包装容器内に配設する。しかしながら、作業を急ぐ余り、前記包装容器用中仕切りを包装容器内に配設する際、底片部が上方へ必要以上に折れ曲がり、これを戻さぬまま各収納空間部にワイングラスを収納してしまう場合がある。このように必要もなく底片部が上方へ折れ曲がった状態でワイングラスを収納すると、その台座は包装容器の中底面に載る。この状態では、輸送中の振動によりワイングラスが収納空間部内で移動し、その下端の台座が必要もなく底片部が上に折れ曲がった隣の収納空間部に一部食み出てしまい、隣のワイングラスの台座に直接接触してこれら台座を破損させ、高価な商品を台無しにしてしまうという課題があった。
【０００６】
そこで、本発明は上記課題を解決すべくなされたもので、一対の仕切り片を十文字状に開いたとき、中央交差部を中心として対角線上に位置する両仕切り半片間に係合した両底片部が自動的に張設されるようにして、包装容器用中仕切りを包装容器内に急いで配設する際に、底片部の必要のない上方への折れ曲がりを防ぎ、輸送中にワイングラス同士が直接接触して破損するといった危険性をなくし、安全に輸送できるようにした包装容器用中仕切りを提供することを目的とするものである。
【課題を解決するための手段】
【０００７】
かかる目的を達成するため本発明に係る包装用中仕切りは、容器本体内を平面的に十文字状に仕切る包装容器用中仕切りであって、別個に形成されると共に十文字状に交差して組み合わされる折り畳み自在な一対の仕切り片からなり、その中央交差部を中心として放射状に延びる各仕切り半片の下方に折曲げ線を介して底片部を連設し、隣り合う前記両底片部に互いに係脱自在に係合しかつ前記両仕切り片と共に前記両底片部が自在に折り畳める係合部を設け、前記一対の仕切り片を十文字状に開いたとき、前記中央交差部を中心として対角線上に位置する前記両仕切り半片間に係合した前記両底片部が自動的に張設されるようにしたことを特徴とする。
【発明の効果】
【０００８】
本発明に係る包装容器用中仕切りは、十文字状に交差して組み合わされる折り畳み自在な一対の仕切り片であってその中央交差部を中心として放射状に延びる各仕切り半片の下方に、折曲げ線を介して底片部を連設し、隣り合う両底片部に互いに係脱自在に係合しかつ両仕切り片と共に両底片部が自在に折り畳める係合部を設けたので、一対の仕切り片を十文字状に開いたとき、中央交差部を中心として対角線上に位置する両仕切り半片間に係合した両底片部が自動的に張設される。よって、包装容器用中仕切りを包装容器内に急いで配設する際に、底片部の必要のない上方への折れ曲がりを防ぐことができる。
【０００９】
また、一対の仕切り片を開いて包装容器内に配設する際、その上面に必ずワイングラスの台座が載る。これにより、輸送中に包装容器内のワイングラスが移動しても、底片部の上面に載る台座は該底片部と仕切り半片とによりしっかりと囲われ、台座が隣の収納空間部に食み出ることが無い。一方、底片部の無い収納空間部に収納されたワイングラスは、輸送中に移動してその台座が隣の収納空間部に食み出ることがあるが、その隣の収納空間部のワイングラスの台座は底片部及び仕切り半片により囲われているので、互いの台座が直接接触することが無い。これにより、いずれのワイングラスも破損する危険性はほとんど無いという有益な効果がある。
【００１０】
また、各包装容器用中仕切りは、包装容器に配設する前は２枚に畳み積み重ねて保管できるので、場所をとらず使い勝手が良い。しかも、各包装容器用中仕切りを厚紙により打ち抜いて成形するようにすれば、その製作も簡単であって、製作コストも低廉になし得るという効果がある。
【発明を実施するための最良の形態】
【００１１】
以下、本発明に係る包装容器用中仕切り（以下、単に「中仕切り」という。）の実施の形態を、図面に基づき詳しく説明する。本発明に使用される中仕切りの素材としては例えば厚紙が使用されるが、その他の素材を使用しても良い。図１は、本発明に係る中仕切りを組み合わせて閉じた状態の斜視図、図２は同開いた状態の斜視図、図３は同分解斜視図である。
【００１２】
中仕切り１は、後記する直方体形状の包装容器Ｂにおける容器本体２０の内部を平面的に十文字状に仕切って４分割するものである。そして、該中仕切り１は、互いに別個に形成されると共に交差して十文字状に組み合わされる折り畳み自在な一対の仕切り片１ａ，１ｂとからなる。これらは、略同じ大きさの縦長の長方形状に形成されている。
【００１３】
一方の仕切り片１ａは、その縦長の上下方向の中央線Ｃすなわち中央交差部に沿って、その上端部とほぼ中央より下方に向かう所定幅の上部スリット２ａと同じく所定幅の下部スリット２ｂが同一軸線上に設けられている。上部スリット２ａと下部スリット２ｂは、その上端縁と下端縁がそれぞれ開放されている。そして、上部スリット２ａと下部スリット２ｂとの間に第一接続部３が設けられ、中央交差部を中心として対称形状の仕切り半片４ａ，４ｂが形成されることになる。両仕切り半片４ａ，４ｂの下方に、中央線Ｃと直交する（容器本体２０の内底面と平行をなす。）折曲げ線５ａ，５ｂを介して底片部６ａ，６ｂが連設される。
【００１４】
両底片部６ａ，６ｂは横長長方形状をなし、それら下端縁に前記中央線Ｃを中心として線対称となるように、それら下端縁に対して４５度をなす斜めスリット７ａ，７ｂが設けられる。各斜めスリット７ａ，７ｂは、中央線Ｃを中心としてハの字状をなす。また、各斜めスリット７ａ，７ｂの下端縁側は上端の奥端部を残して切り欠かれ、それら下端縁で開放されている。
【００１５】
他方の仕切り片１ｂも、その縦長の上下方向の中央線Ｃすなわち中央交差部に沿ってほぼ中央より上方に向かって所定幅の上部スリット９ａが設けられている。この上部スリット９ａの長さと位置は、前記一方の仕切り片１ａの第一接続部３の長さと位置に一致する。該上部スリット９ａの上端は塞がれ、その一側に上端が仕切り片１ｂの上端縁で開放されかつ下端が上部スリット９ａと連通する切り込み１０が設けられる。また、上部スリット９ａの下方には中央線Ｃに沿って第二接続部１１が設けられ、中央交差部を中心として対称形状の仕切り半片１２ａ，１２ｂが形成されることになる。両仕切り半片１２ａ，１２ｂの下方に、中央線Ｃと直交する（容器本体２０の内底面と平行をなす。）折曲げ線１３ａ，１３ｂを介して底片部１４ａ，１４ｂが連設される。
【００１６】
両底片部１４ａ，１４ｂも横長長方形状をなし、折曲げ線１３ａ，１３ｂに沿った一側、すなわち中央線Ｃの延長線と折曲げ線１３ａ，１３ｂとの交差部から、該折曲げ線１３ａ，１３ｂに対して４５度をなしハの字状に形成される斜めスリット１５ａ，１５ｂが設けられる。各斜めスリット１５ａ，１５ｂの中央線Ｃの延長線側は下端の奥端部を一部残して切り欠かれ、それら側端縁で開放される。
【００１７】
そして、２枚の仕切り片１ａ，１ｂを直交状に配置すると共に、一方の仕切り片１ａの下部スリット２ｂを、他方の仕切り片１ｂの上部スリット９ａにその上側から差し込み、一方の仕切り片１ａの下部スリット２ｂに他方の仕切り片１ｂの第二接続部１１を配置する。また、他方の仕切り片１ｂの上部スリット９ａに、一方の仕切り片１ａの第一接続部３を配置する。第一接続部３は、他方の仕切り片１ｂ上端縁の切り込み１０を介して上部スリット９ａ内に導かれる。この状態では、上部スリット９ａに第一接続部３が嵌り込み、しかも、第一接続部３の上端が上部スリット９ａの上端縁に当接するようになっているので、両仕切り片１ａ，１ｂがそれぞれ簡単に外れることはない。両仕切り片１ａ，１ｂは、図１に示すように重なるようにして自在に折り畳まれ、また、図２に示すように自在に十字状に開くことができる。
【００１８】
前記両仕切り片１ａ，１ｂを十字状に開いた状態で、一方の仕切り片１ａにおける仕切り半片４ｂの下端に連接される底片部６ｂと、他方の仕切り片１ｂにおける仕切り半片１２ａの下端に連接される底片部１４ａと、を互いに向き合う方向へ９０度折り曲げる。そして、一方の底片部６ｂの斜めスリット７ｂと他方の底辺部１４ａの斜めスリット１５ａとを係合させる。これにより、隣り合う仕切り半片４ｂ，１２ａ間に係合した両底片部６ｂ，１４ａが張設される。図示は省略するが、同様に他の両底片部６ａ，１４ｂも、各斜めスリット７ａ，１５ｂを係合させて隣り合う仕切り半片４ａ，１２ｂ間に係合した両底片部６ａ，１４ｂが張設される。また、これら両底片部６ａ，１４ｂ及び両底片部６ｂ，１４ａは、両仕切り半片４ａ，１２ｂ及び両仕切り半片４ｂ，１２ａの開閉動作に追随して開いたり閉じたりするようになっている。このため、そのように動作させるべく、前記各斜めスリット７ａ，７ｂ及び各斜めスリット１５ａ，１５ｂの位置が所定の位置に設定される。
【００１９】
本発明に係る中仕切り１は上記構成からなり、次にその使用方法を説明する。図４は４個のワイングラスと中仕切りと包装容器とを示す分解斜視図である。中仕切り１は、両仕切り片１ａ，１ｂが十文字状に組み合わされ、一方の底片部６ｂの斜めスリット７ｂと他方の底辺部１４ａの斜めスリット１５ａとを係合させる。これにより、隣り合う仕切り半片４ｂ，１２ａ間に、両底片部６ｂ，１４ａが張設される。同様にして、各斜めスリット７ａ，１５ｂを係合させることにより、隣り合う仕切り半片４ａ，１２ｂ間に、他の両底片部６ａ，１４ｂが張設される。これら両底片部６ａ，１４ｂ及び両底片部６ｂ，１４ａは、両仕切り半片４ａ，１２ｂ及び両仕切り半片４ｂ，１２ａを畳んで閉じるとこれに追随して閉じることになる。また、これら両底片部６ａ，１４ｂ及び両底片部６ｂ，１４ａは、中央交差部を中心として対角線上に位置する。ワイングラスＷ１〜Ｗ４は、ガラス製であって、ワインが注がれるワイン受部Ｕと該ワイン受部Ｕの底面から下方へ延びるステムＳと該ステムＳ下端の円板状の台座Ｄとからなる。
【００２０】
そこで、包装容器Ｂの蓋２１を開けて容器本体２０内に中仕切り１を底片部６ａ，６ｂ，１４ａ，１４ｂから挿入して配設し、その状態で各仕切り半片４ａ，４ｂ，１２ａ，１２ｂにより仕切られた４個の収納空間部Ｅ１〜Ｅ４に、それぞれワイングラスＷ１〜Ｗ４を台座Ｄ側から１個ずつ収納する。そして、蓋２１を閉めて包装することになる。この際、図５、図６に示すように各収納空間部Ｅ１〜Ｅ４の内、中央交差部を中心としてその対角線上に位置する収納空間部Ｅ１，Ｅ３に互いに係合した両底片部６ｂ，１４ａと両底片部６ａと１４ｂが配設される。
【００２１】
よって、それら収納空間部Ｅ１，Ｅ３に収納されるワイングラスＷ１，Ｗ３は、そのステムＳ下端の台座Ｄが図５、図６に示すようにそれぞれ両仕切り半片４ｂ，１２ａまたは両仕切り半片４ａ，１２ｂに連設される両底片部６ｂ，１４ａまたは両底片部６ａ，１４ｂの上面に載る。しかも、両仕切り半片４ｂ，１２ａまたは両仕切り半片４ａ，１２ｂによりワイングラスＷ１，Ｗ３の両側がそれぞれ囲まれる。また、残りの収納空間部Ｅ２，Ｅ４に収納されるワイングラスＷ２，Ｗ４は、そのステムＳ下端の台座Ｄが図６に示すようにそれぞれ容器本体２０の底壁２２上面に載る。そして、ワイングラスＷ２，Ｗ４の両側が両仕切り半片４ｂ，１２ｂまたは両仕切り半片４ａ，１２ａにより囲まれる。
【００２２】
このように、本発明は組み合わせた中仕切り１を平面十文字状に開いたとき、対角線上の位置で隣り合う仕切り半片４ａ，１２ｂと仕切り半片４ｂ，１２ａの間に互いに係合した底片部６ａ，１４ｂと底片部６ｂ，１４ａが自動的に形成されるようになり、各底片部６ａ，１４ｂと底片部６ｂ，１４ａが必要もなく上方へ折れ曲がることがなく、その上面に必ずワイングラスＷ１，Ｗ３の台座Ｄが載る。よって、底片部６ａ，１４ｂまたは底片部６ｂ，１４ａの上面に載るワイングラスＷ１，Ｗ３の台座Ｄは、それら底片部６ａ，１４ｂまたは底片部６ｂ，１４ａ及び仕切り半片４ａ，１２ｂまたは仕切り半片４ｂ，１２ａによりしっかりと囲われ、それらワイングラスＷ１，Ｗ３の台座Ｄが隣の収納空間部Ｅ２，Ｅ４に一部食み出ることがない。
【００２３】
これにより、輸送中に包装容器Ｂ内のワイングラスＷ１〜Ｗ４が移動しても、その内、底片部６ａ，６ｂ，１４ａ，１４ｂの有る収納空間部Ｅ１，Ｅ３に収納されたワイングラスＷ１，Ｗ３はそのステムＳ下端の台座Ｄがしっかりと保護され、隣の底片部６ａ，６ｂ，１４ａ，１４ｂの無い収納空間部Ｗ２，Ｗ４に食み出ることが無い。また、これら台座Ｄが隣のワイングラスＷ２，Ｗ４の台座Ｄに直接接触することがなく、台座Ｄが破損するといった危険性もほとんど無い。
【００２４】
一方、底片部６ａ，６ｂ，１４ａ，１４ｂの無い収納空間部Ｗ２，Ｗ４に収納されたワイングラスＥ２，Ｅ４は、輸送中に移動してその台座Ｄが隣の収納空間部Ｅ１，Ｅ３に食み出ることがあるとしても、その収納空間部Ｅ１，Ｅ３のワイングラスＷ１，Ｗ３の台座Ｄは、底片部６ａ，６ｂ，１４ａ，１４ｂ及び仕切り半片４ａ，４ｂ，１２ａ、２ｂにより囲われ保護されている。よって、互いの台座Ｄが直接接触することが無く、それら台座Ｄが破損する危険性もほとんど無い。また、対角線上に位置する底片部６ａ，６ｂ，１４ａ，１４ｂの無い収納空間部Ｅ２，Ｅ４に収納されたワイングラスＷ２，Ｗ４同士は、通常、両台座Ｄ，Ｄが接触する前に隣の収納空間部Ｅ１，Ｅ３内に有るワイングラスＷ１，Ｗ３のワイン受部Ｕに接触するので、対角線上に位置するワイングラスＷ２，Ｗ４の台座Ｄ，Ｄ同士が当接することはない。
【図面の簡単な説明】
【００２５】
【図１】本発明に係る中仕切りを組み合せて閉じた状態の斜視図。
【図２】同開いた状態の斜視図。
【図３】同分解斜視図。
【図４】４個のワイングラスと中仕切りと包装容器とを示す分解斜視図。
【図５】包装容器にワイングラスを収納した状態の平面図。
【図６】図５のＸ−Ｘ線断面図。
【符号の説明】
【００２６】
１                中仕切り
１ａ              仕切り片
１ｂ              仕切り片
４ａ              仕切り半片
４ｂ              仕切り半片
５ａ              折曲げ線
５ｂ              折曲げ線
６ａ              底片部
６ｂ              底片部
７ａ              係合部（斜めスリット）
７ｂ              係合部（斜めスリット）
１２ａ            仕切り半片
１２ｂ            仕切り半片
１３ａ            折曲げ線
１３ｂ            折曲げ線
１４ａ            底片部
１４ｂ            底片部
１５ａ            係合部（斜めスリット）
１５ｂ            係合部（斜めスリット）
２０              容器本体
【図１】
2009078818.tif 000003
【図２】
2009078818.tif 000004
【図３】
2009078818.tif 000005
【図４】
2009078818.tif 000006
【図５】
2009078818.tif 000007
【図６】
2009078818.tif 000008